(57)【要約】【課題】ディスプレイ装置へのストレスを抑制する。【解決手段】表示画面９を有したディスプレイ装置８と、前記ディスプレイ装置８を収容するとともに、前記表示画面に対向した第１開口部７ａと、前記表示画面の周縁部に対向した第２開口部３２Ａとが形成された筐体１３と、前記表示画面９が露出する位置Ｐ１と、前記表示画面９が覆われる位置Ｐ２との間で回動可能に設けられ、前記筐体を支持した支持部２と、前記表示画面９の周縁部９ａ4と前記筐体１３との間に充填されるとともに、前記第２開口部３２Ａから突出することで前記表示画面９が覆われる位置Ｐ２に在る前記支持部２と当接する弾性部材２６とを具備する。【選択図】図６
2010224546.tif 000002
【特許請求の範囲】
【請求項１】
表示画面を有したディスプレイ装置と、
前記ディスプレイ装置を収容するとともに、前記表示画面に対向した第１開口部と、前記表示画面の周縁部に対向した第２開口部とが設けられた筐体と、
前記表示画面が露出する位置と、前記表示画面が覆われる位置との間で回動可能に設けられ、前記筐体を支持した支持部と、
前記筺体内で前記ディスプレイ装置と当接されるとともに、前記第２開口部から一部が突出することで前記表示画面が覆われる位置に在る前記支持部と当接する弾性部材と、
を具備することを特徴とする電子機器。
【請求項２】
入力を受ける入力部が設けられた第１筐体と、
ディスプレイ装置が収容され、開口部が設けられた第２筐体と、
前記入力部が露出する位置と、前記入力部が覆われる位置との間を移動可能に前記第１筐体と第２筐体とを連結した連結部と、
前記第２筐体内で前記ディスプレイ装置と当接するとともに、前記開口部から一部が突出され、前記入力部が覆われる位置で前記第１筐体と当接される弾性部材と、
を具備することを特徴とする電子機器。
【請求項３】
前記弾性部材は、前記第１筺体と当接した第１当接面と、当該第１当接面より広い面積を有するとともに、前記ディスプレイ装置と当接した第２当接面とを有したことを特徴とする請求項２に記載の電子機器。
【請求項４】
前記弾性部材は、前記第２筺体の開口部の直径以上の幅を有するとともに、前記第２筐体の内面と当接した第３当接面を有したことを特徴とする請求項３に記載の電子機器。
【請求項５】
前記弾性部材は、前記ディスプレイ装置外縁に亘って前記第２筐体内に収容されたことを特徴とする請求項４に記載の電子機器。
【請求項６】
前記第２筐体は、前記ディスプレイ装置の側面部と対向して設けられたリブを有し、
前記弾性部材は、前記ディスプレイ装置の側面部と前記リブとの間に設けられたことを特徴とする請求項５に記載の電子機器。
【請求項７】
入力部が設けられた第１筐体と、
ディスプレイ装置が収容され、開口部が設けられた第２筐体と、
前記入力部が露出する位置と、前記入力部が覆われる位置との間を移動可能に前記第１筐体と第２筐体とを連結した連結部と、
前記第２筐体内で前記ディスプレイ装置と当接するとともに、前記開口部から一部が突出され、前記入力部が覆われる位置で前記第１筐体と当接される当接部と、
を具備することを特徴とする電子機器。
【請求項８】
前記当接部は、前記第１筺体と当接する第１当接面と、当該第１当接面より広い面積を有するとともに、前記ディスプレイ装置と当接した第２当接面とを有したことを特徴とする請求項７に記載の電子機器。
【請求項９】
前記当接部は、前記第２筺体の開口部の直径以上の幅を有するとともに、前記第２筐体の内面と当接した第３当接面を有したことを特徴とする請求項８に記載の電子機器。
【請求項１０】
前記第２筐体は、前記ディスプレイ装置の側面部と対向して設けられたリブを有し、
前記当接部は、前記ディスプレイ装置の側面部と前記リブとの間に設けられたことを特徴とする請求項９に記載の電子機器。
【発明の詳細な説明】
【技術分野】
【０００１】
本発明は、ディスプレイ装置を有する電子機器に関する。
【背景技術】
【０００２】
本体筐体に対して表示部筐体が回転可能になった電子機器が開示されている。この電子機器は、キーボードの載置部が設けられる本体筐体と、ディスプレイ装置等が内蔵される表示部筐体と、表示部筐体から突出するように設けられる固定部材と、を備えている。表示部筐体は、さらに、固定部材がはめ込まれる開口部を有している。固定部材は、ゴム等の弾性部材であり、表示部筐体の角部から本体筐体に向かって突出するように設けられている。
【０００３】
固定部材は、表示部筐体を閉じる際に本体筐体の上面に当接し、表示部筐体に生じる衝撃を吸収する。（例えば、特許文献１参照）。
【先行技術文献】
【特許文献】
【０００４】
【特許文献１】特開２００７−１５６５５１号公報
【発明の概要】
【発明が解決しようとする課題】
【０００５】
しかしながら、従来の技術では、ディスプレイ装置へ伝わる応力について考慮が成されていない。例えば特許文献１に示すような装置では、表示部筐体とディスプレイ装置とが当接するため、外部応力が表示部筐体からディスプレイ装置に直接伝わり、ディスプレイ装置の周縁部分が破壊される可能性がある。
【０００６】
本発明の目的は、ディスプレイ装置へのストレスを抑制することができる電子機器を提供することにある。
【課題を解決するための手段】
【０００７】
前記目的を達成するため、本発明の一つの形態に係る電子機器は、表示画面を有したディスプレイ装置と、前記ディスプレイ装置を収容するとともに、前記表示画面に対向した第１開口部と、前記表示画面の周縁部に対向した第２開口部とが設けられた筐体と、前記表示画面が露出する位置と、前記表示画面が覆われる位置との間で回動可能に設けられ、前記筐体を支持した支持部と、前記筺体内で前記ディスプレイ装置と当接されるとともに、前記第２開口部から一部が突出することで前記表示画面が覆われる位置に在る前記支持部と当接する弾性部材と、を具備する。
また、前記目的を達成するため、本発明の一つの形態に係る電子機器は、入力を受ける入力部が設けられた第１筐体と、ディスプレイ装置が収容され、開口部が設けられた第２筐体と、前記入力部が露出する位置と、前記入力部が覆われる位置との間を移動可能に前記第１筐体と第２筐体とを連結した連結部と、前記第２筐体内で前記ディスプレイ装置と当接するとともに、前記開口部から一部が突出され、前記入力部が覆われる位置で前記第１筐体と当接される弾性部材と、を具備する。
また、前記目的を達成するため、本発明の一つの形態に係る電子機器は、入力部が設けられた第１筐体と、ディスプレイ装置が収容され、開口部が設けられた第２筐体と、前記入力部が露出する位置と、前記入力部が覆われる位置との間を移動可能に前記第１筐体と第２筐体とを連結した連結部と、前記第２筐体内で前記ディスプレイ装置と当接するとともに、前記開口部から一部が突出され、前記入力部が覆われる位置で前記第１筐体と当接される当接部と、を具備する。
【発明の効果】
【０００８】
上記の構成によれば、ディスプレイ装置へのストレスを抑制することができる電子機器を提供できる。
【図面の簡単な説明】
【０００９】
【図１】本発明の第１の実施形態に係るポータブルコンピュータの斜視図。
【図２】第１の実施形態に係る表示ユニットを分解して示す斜視図。
【図３】第１の実施形態に係るカバーとブラケットの斜視図。
【図４】第１の実施形態に係る表示ユニット内部を模式的に示す平面図。
【図５】第１の実施形態に係る充填部材を示す図。
【図６】図１に示す表示ユニットをＦ５&mdash;Ｆ５線に沿って切断して示した斜視図。
【図７】図１に示すポータブルコンピュータにおいて、表示ユニットが第２の位置にあるときに縦方向に沿って切断して示した断面図。
【図８】第２の実施形態に係る充填部材を示す図。
【図９】第２の実施形態に係るポータブルコンピュータの表示ユニット内部を模式的に示す平面図。
【図１０】第３の実施形態に係るポータブルコンピュータの表示ユニット内部を模式的に示す平面図。
【図１１】第３の実施形態に係るポータブルコンピュータの表示ユニットを横方向に沿って切断して示した斜視図。
【図１２】第４の実施形態に係るポータブルコンピュータの表示ユニットを横方向に沿って切断して示した斜視図。
【発明を実施するための形態】
【００１０】
以下に本発明の実施の形態を、ポータブルコンピュータに適用した図面に基づいて説明する。
図１は、本発明の第１の実施形態に係る電子機器としてのポータブルコンピュータ１を開示している。図１に示すように、ポータブルコンピュータ１は、本体２と表示ユニット３とを備えている。尚本明細書において、手前側（即ちユーザ側）を前方向Ｆ、ユーザから見て奥側を後方向Ｒ、ユーザから見て左側を左方向、ユーザから見て右側を右方向、ユーザから見て上方を上方向、ユーザから見て下方を下方向と定義する。
【００１１】
図１に示すように、電子機器の一例であるポータブルコンピュータ１は、本体２と、表示ユニット３と、本体２と表示ユニット３との間に設けられるヒンジ機構２１ａ，２１ｂと、を備えている。ヒンジ機構２１ａ，２１ｂは、表示ユニット３を回転可能に支持している。表示ユニット３は、図１に示すように本体２に対して起立した第１の位置Ｐ１と、図７に示すように本体２に対して平行になるようにこれに被さった第２の位置Ｐ２と、の間で回転することができる。
【００１２】
本体２は、本体筐体４を有する。本体筐体４は、上壁４ａ、周壁４ｂ、および図示しない下壁を有する箱状に形成されている。本体２は、本体筐体４の内部に回路基板および複数の電子部品を搭載している。本体筐体４の上壁４ａは、キーボード５を支持している。
【００１３】
図１に示すように、表示ユニット３は、ディスプレイ装置ハウジング７と、このディスプレイ装置ハウジング７に収容された表示装置８とを有する。ディスプレイ装置ハウジング７は、請求項でいう筐体の一例である。ディスプレイ装置ハウジング７は、窓部７ａを有する。
【００１４】
表示装置８の一例は、例えば液晶ディスプレイ装置、プラズマディスプレイ装置、有機エレクトリックルミネッセンスディスプレイ装置、または表面電界ディスプレイ装置などが挙げられる。表示装置８は、表示画面９を有する。表示画面９は、窓部７ａを通じてディスプレイ装置ハウジング７の外部に露出されている。
【００１５】
図２および図４に示すように、表示装置８は、矩形をした板状に形成され、第１ないし第４からなる四つの側面部８ａ，８ｂ，８ｃ，８ｄを有する。第１の側面部８ａは、ポータブルコンピュータ１の幅方向に延び、表示画面９がユーザに向かい合う状態で表示装置８の上縁となる。第２の側面部８ｂは、第１の側面部８ａに平行に延び、表示装置８の下縁となる。第３および第４の側面部８ｃ，８ｄは、それぞれ第１の側面部８ａと直交する方向に延び、それぞれ表示装置８の左縁または右縁となる。
【００１６】
図４に示すように、表示装置８は、第１ないし第４の側面部８ａ，８ｂ，８ｃ，８ｄにより形成される第１ないし第４の角部１０ａ，１０ｂ，１０ｃ，１０ｄを有する。
【００１７】
図２に示すように、ディスプレイ装置ハウジング７は、カバー１２とマスク１３とを有する。マスク１３がカバー１２に組み合わされると、両者は協働して箱状のディスプレイ装置ハウジング７を形成する。本実施例のマスク１３は、例えばマグネシウム合金材料により構成され、カバー１２はプラスチック材料により構成されている。
【００１８】
図２に示すように、マスク１３は、カバー１２に組み合わされる。マスク１３は、表示装置８の表示画面９に対向している。窓部７ａは、マスク１３に形成されている。マスク１３は、左右の周壁９１，９２を有する。マスク１３をカバー１２に組み付けると、左右周壁９１，９２はそれぞれカバー１２の左右周壁１６ｃ，１６ｄに外側から対向する。カバー１２の左右周壁１６ｃ，１６ｄはマスク１３の周壁９１，９１に覆われる。カバー１２に形成された切欠き３９は、マスク１３の周壁９１，９２が覆い隠される。
【００１９】
マスク１３の左右周壁９１，９２の内周面には、例えば複数の係合爪９４が設けられている。一方、カバー１２の左右周壁１６ｃ，１６ｄには、この係合爪９４に対応する被係合部９５が設けられ、互いに係合する。これによりマスク１３はカバー１２に着脱自在に固定される。
【００２０】
マスク１３は、窓部７ａの近傍に形成されるとともに、表示装置８の表示画面９の周縁部９ａを露出させた連通部３２を有している。マスク１３は、表示装置８の表示画面９に対向している第１の面３３と、第１の面３３とは反対側の第２の面３４と、を有している。連通部３２は、この第１の面３３と第２の面３４とを連通している。
【００２１】
本実施形態において、連通部３２は、窓部７ａの近傍に設けられた貫通孔３２Ａとして形成されている。貫通孔３２Ａは、例えば、円形をなしている。
本実施例のポータブルコンピュータ１は、表示装置８の表示画面９の周縁部９ａと、表示画面９に対向している第１の面３３との間に充填材２６を有している。充填材２６は、透明で弾力性のある例えばシリコン樹脂で構成される。このため、充填材２６は、成形後においては、ゴム状の弾性を有している。図５に示すように、充填材２６は、表示装置８とマスク１３との間に充填される本体部２６ａと、本体部２６ａから一体に突出した突出部２６ｂと、を有している。突出部２６ｂは、角を丸くしたアーチ形の突起として形成されている。本体部２６ａは、表示画面９と当接する当接面２６ａ１を有する。突出部２６ｂは、第２の位置Ｐ２で本体筐体４の上壁４ａと当接する当接面２６ｂ１を有する。本体部２６ａの幅ｌ，ｎは突出部２６ｂの直径ｍより長い。即ち、本実施例のポータブルコンピュータ１において、当接面２６ａ１は当接面２６ｂ１より広い面積を有し、表示装置８を安定して保持することを可能とする。
【００２２】
上述した通り、本実施例のポータブルコンピュータ１は、表示画面（表示画面９）を有したディスプレイ装置（表示装置８）と、ディスプレイ装置を収容するとともに、前記表示画面に対向した第１開口部（窓部７ａ）と、前記表示画面の周縁部に対向した第２開口部（連通部３２）とが形成された筐体（ディスプレイ装置ハウジング７）と、前記表示画面が露出する位置（第１の位置Ｐ１）と、前記表示画面が覆われる位置（第２の位置Ｐ２）との間で回動可能に設けられ、前記筐体を支持した支持部（本体筐体４）と、前記表示画面の周縁部と前記筐体との間に充填されるとともに、前記第２開口部から突出することで前記表示画面が覆われる位置に在る前記支持部と当接する弾性部材（充填材２６）とを具備する。
【００２３】
また、本実施例の充填材２６は、ヒンジ機構２１ａ，２１ｂとは表示画面９を隔てて反対側に位置する、ディスプレイ装置ハウジング７の上部に設けられる。このような構成により、ヒンジ機構２１ａ，２１ｂの回転中心から遠退いた、トルクの大きくなる領域における衝撃に対応することができる。
【００２４】
また、本実施例の充填材２６は、表示画面９ａの周縁部に亘って、左右対称に複数個形成されているため、各領域に係るストレスを均等に分散することができる。
図４は、カバー１２と表示装置８との間係を模式的に示す図である。カバー１２は、背壁１５と周壁１６とを有する。背壁１５は、表示装置８の背後に位置するとともに、表示装置８の背面（すなわち表示画面９とは反対の面）に対向している。背壁１５は、表示装置８の外形より大きく形成されている。
【００２５】
周壁１６は、背壁１５の周縁部から起立するとともに、表示装置８の側面部８ａ，８ｂ，８ｃ，８ｄを取り囲んでいる。詳しくは、周壁１６は、上周壁１６ａ、下周壁１６ｂ、左周壁１６ｃ、および右周壁１６ｄを有する。上周壁１６ａおよび下周壁１６ｂは、ポータブルコンピュータ１の幅方向に沿って互いに平行に延びている。左周壁１６ｃおよび右周壁１６ｄは、上周壁１６ａに直交する方向に沿って延びている。左右周壁１６ｃ，１６ｄは、背壁１５の外縁に比べてわずかにカバー１２の内側に入り込んだ位置に形成されている。図４に示すように、カバー１２は、周壁１６ａ，１６ｂ，１６ｃ，１６ｄにより形成される第１ないし第４の角部１７ａ，１７ｂ，１７ｃ，１７ｄを有する。
【００２６】
カバー１２の上周壁１６ａは、この上周壁１６ａの中央部に形成されるとともに表示装置８の第１の側面部８ａに対向する第１の壁部１６ａａと、この上周壁１６ａの左右両端部に形成されるとともに、表示装置８に対向しない第２の壁部１６ａｂとを有する。カバー１２の下周壁１６ｂは、この下周壁１６ｂの中央部に形成されるとともに表示装置８の第２の側面部８ｂに対向する第１の壁部１６ｂａと、この下周壁１６ｂの左右両端部に形成されるとともに、表示装置８に対向しない第２の壁部１６ｂｂとを有する。
【００２７】
カバー１２の左周壁１６ｃは、この左周壁１６ｃの中央部に形成されるとともに表示装置８の第３の側面部８ｃに対向する第１の壁部１６ｃａと、この左周壁１６ｃの上下両端部に形成されるとともに、表示装置８に対向しない第２の壁部１６ｃｂとを有する。カバー１２の右周壁１６ｄは、この右周壁１６ｄの中央部に形成されるとともに表示装置８の第４の側面部８ｄに対向する第１の壁部１６ｄａと、この右周壁１６ｄの上下両端部に形成されるとともに、表示装置８に対向しない第２の壁部１６ｄｂとを有する。
【００２８】
カバー１２の下端部には、第１ないし第３の突出部１８ａ，１８ｂ，１８ｃが設けられている。第１の突出部１８ａは、カバー１２の下端部の中央部からカバー１２の外側に突出している。第１の突出部１８ａには、インバータなどの電子部品１９が収容されている。第２および第３の突出部１８ｃ，１８ｃは、カバーの左右両端部からそれぞれカバー１２の外側に突出している。
【００２９】
図１に示すように、ポータブルコンピュータ１は、ディスプレイ装置ハウジング７を本体筐体４に対して回動可能に連結する一対のヒンジ機構２１ａ，２１ｂを有する。
【００３０】
図３に示すように、ヒンジ機構２１ａ，２１ｂは、それぞれヒンジ軸２３、第１のブラケット２４、および第２のブラケット２５を有する。ヒンジ軸２３は、ディスプレイ装置ハウジング７と本体筐体４との間に設けられている。第１のブラケット２４は、一端部がヒンジ軸２３に連結されるとともに、他端部が本体筐体４に固定されている。第２のブラケット２５は、一端部がヒンジ軸２３に連結されているとともに、他端部がディスプレイ装置ハウジング７内に延び、ディスプレイ装置ハウジング７に固定されている。
【００３１】
第１および第２のブラケット２４，２５は、ヒンジ軸２３を介して互いに回動可能である。ブラケット２５は、表示装置８にねじ３８で固定される。具体的には、ねじ３８がブラケット２５のねじ挿通孔に挿通され、表示装置８のねじ穴３７に係合することで、ブラケット２５は表示装置８に固定される。ねじ３８は、表示装置８の第４の側面部８ｄに直交する方向に沿ってねじ挿通孔およびねじ穴３７に取り付けられる。
【００３２】
図４に示すように、カバー１２内の領域は、第１ないし第３の領域５５，５６，５７に区分される。第１の領域５５は、表示装置８の背後に位置し、表示装置８の背面に対向する。第２の領域５６は、上周壁１６ａの第１の壁部１６ａａと表示装置８の第１の側面部８ａとの間、下周壁１６ｂの第１の壁部１６ｂａと表示装置８の第２の側面部８ｂとの間、左周壁１６ｃの第１の壁部１６ｃａと表示装置８の第３の側面部８ｃとの間、並びに、右周壁１６ｄの第１の壁部１６ｄａと表示装置８の第４の側面部８ｄとの間に形成される。第３の領域５７は、第１の領域５５と第２の領域５６とを外れたディスプレイ装置ハウジング７の周縁部に形成される。すなわち、第３の領域５７は、周壁１６ａ，１６ｂ，１６ｃ，１６ｄの互いに隣り合ういずれか二つの第２の壁部１６ａｂ，１６ｂｂ，１６ｃｂ，１６ｄｂによって規定される領域である。さらに換言すれば、表示装置８の角部１０ａ，１０ｂ，１０ｃ，１０ｄとカバー１２の角部１７ａ，１７ｂ，１７ｃ，１７ｄとの間に形成される領域である。なお第３の領域５７は、カバー１２の背壁１５の一部のみならず、各周壁１６ａ，１６ｂ，１６ｃ，１６ｄの内周面の一部をも含む。
【００３３】
次に、本実施例のポータブルコンピュータ１におけるストレス緩和作用について、図６及び図７を参照しながら説明する。
上述した通り、本実施例のポータブルコンピュータ１は、マスク１３から突出した突出部２６ｂを有している。図６と図７に示すように、突出部２６ｂは、本体部２６ａから延びて、連通部３２を通って外界に突出する。充填材２６の材質としては、シリコン樹脂が適当であるが、これに準ずる相当品であってもよい。
【００３４】
充填材２６の本体部２６ａは、表示装置８とマスク１３との間の隙間に充填され、この隙間内に空気が残留しないようにしている。本体部２６ａは、表示装置８とマスク１３との間で、表示装置８に加えられる衝撃を吸収する。また、本体部２６ａは、表示装置８とマスク１３との干渉を抑制するとともに、表示装置８を保持する。
【００３５】
ポータブルコンピュータ１の表示ユニット３が図１に示す第１の位置Ｐ１から、図７に示す第２の位置Ｐ２に移動すると、充填材２６の突出部２６ｂが本体２の上壁４ａに当接する。これによって、突出部２６ｂが衝撃力を吸収し、表示ユニット３が本体２の上壁４ａに対して勢い良くぶつけられてしまうことが防止される。このとき、この衝撃による応力は、充填材２６の本体部２６ａに逃がされて分散されるため、表示装置８において応力集中を生じることはない。
【００３６】
第１の実施形態によれば、ポータブルコンピュータ１は、本体２と、本体２に対して起立した第１の位置Ｐ１と、本体２に対して被さった第２の位置Ｐ２と、の間で回転可能な表示ユニット３と、を具備し、表示ユニット３は、表示装置８と、表示装置８の前面を覆うとともに、表示装置８に対向する第１の面３３と、この第１の面３３とは反対側の第２の面３４と、第１の面３３と第２の面３４とを連通する連通部３２と、を有するマスク１３と、表示装置８とマスク１３との間の隙間に充填された本体部２６ａと、本体部２６ａから一体に延びて連通部３２を経由して外界に突出するとともに、表示ユニット３が第２の位置Ｐ２にある際に本体２に当接する突出部２６ｂと、を有する樹脂製の充填材２６と、を具備する。
【００３７】
上記の構成によれば、表示ユニット３を第１の位置Ｐ１から第２の位置Ｐ２にする際に、表示ユニット３に生じる衝撃を充填材２６によって吸収することができる。このとき、本体２に衝突して突出部２６ｂにおいて生じた応力は、連通部３２を経由して本体部２６ａに分散されるため、突出部２６ｂの近傍にある表示装置８において応力が集中してしまうことがない。これによって、表示装置８にひび割れ等が生じてしまうことを防止することができる。また、突出部２６ｂは、本体部２６ａと一体になった充填材２６として成形されるため、表示装置８に対して突出部２６ｂを位置合わせして接着する必要がない。このため、表示ユニット３を簡単に製造することができる。
【００３８】
連通部３２は、マスク１３に設けられた貫通孔３２Ａである。この構成によれば、簡単な構造で連通部３２を形成することができる。この充填材２６は、シリコン樹脂製である。この素材によれば、表示装置８とマスク１３との間の隙間を埋めるとともに、本体２に当接する突出部２６ｂを有する充填材２６を簡単に実現することができる。
【００３９】
続いて、図８、図９を参照して、本実施例のポータブルコンピュータの第２の実施形態について説明する。第２の実施形態の電子機器の一例であるポータブルコンピュータ１は、充填材２６の形状が異なる点で第１の実施形態のものと異なっているが、他の部分は第１の実施形態と概ね共通している。このため、主として異なる部分について説明し、共通する部分については共通の符号を付して説明を省略する。
【００４０】
第２の実施形態のポータブルコンピュータ１は、図１に示すものとほぼ同様の外観を有している。表示ユニット３は、図１に示す第１の位置Ｐ１と、図７に示すような第２の位置Ｐ２との間で回転することができる。
【００４１】
図８及び図９に示すように、第２の実施形態のポータブルコンピュータ１における充填材２６では、表示装置８における表示画面９の周縁部上領域９ｂに亘って設けられる本体部２６ａと、当該本体部２６ａから延出するとともに周縁部上領域９ｂに対向する複数の貫通孔３２Ａから其々突出する突出部２６ｂとを有している。このような構成によれば、第１の実施例同様、表示ユニット３を第１の位置Ｐ１から第２の位置Ｐ２にする際に表示ユニット３に生じる衝撃を充填材２６によって吸収することができる。このとき、本体２に衝突して突出部２６ｂにおいて生じた応力は、表示画面９の周縁部上領域９ｂに設けられた本体部２６ａで分散される。これによって、第１の実施例の構成以上に表示装置８にかかるストレスを抑制することができる。尚、ここでは表示画面９の周縁部上領域９ｂに亘って充填部材２６を設けた場合を示したが、これに限らず、表示画面９の周縁部側面領域９ｃ，９ｄ、又は下領域９ｅに亘って充填部材２６を設けても良いものとする。
【００４２】
続いて、図１０、図１１を参照して、本実施例のポータブルコンピュータの第３の実施形態について説明する。第３の実施形態の電子機器の一例であるポータブルコンピュータ１は、充填材２６及びカバー１２の形状が異なる点で第１の実施形態のものと異なっているが、他の部分は第１の実施形態と概ね共通している。このため、主として異なる部分について説明し、共通する部分については共通の符号を付して説明を省略する。
【００４３】
第３の実施形態のポータブルコンピュータ１は、図１に示すものとほぼ同様の外観を有している。表示ユニット３は、図１に示す第１の位置Ｐ１と、図７に示すような第２の位置Ｐ２との間で回転することができる。
【００４４】
図１０に示すように、第２の実施形態のポータブルコンピュータ１では、カバー１２の背壁１５から起立した複数の第１および第２のリブ８１，８２が形成されている。第１のリブ８１は、表示装置８の第３および第４の側面部８ｃ，８ｄとカバー１２の左右周壁１６ｃ，１６ｄとの間に形成される。第２のリブ８２は、表示装置８の第１の側面部８ａとカバー１２の上周壁１６ａとの間に形成される。第１および第２のリブ８１，８２は、表示装置８の側面部８ａ，８ｃ，８ｄに対向する面８３を有している。
【００４５】
図１１に示すように、第２の実施形態の表示ユニット３では、第１および第２のリブ８１，８２と表示装置８との間に、充填材２６から延出して形成された延出部２６Ｃが設けられる。即ち、本実施形態において、表示装置８とマスク１３との間に充填された充填材２６は、表示装置８の外縁に亘って設けられるとともに、表示装置８が左右・上下方向へスライドしないように当該表示装置８を側面から保持することができる。また、本実施例の構成によれば、表示ユニット３の側面に生じる衝撃を充填材２６の延出部２６Ｃによって吸収することができる。このとき生じた応力は、延出部２６Ｃにおいて吸収・分散されるため、延出部２６Ｃの近傍にある表示装置８側面においてストレスが集中してしまうことがない。これによって、表示装置８側面にひび割れ等が生じてしまうことを防止することができる。尚ここでは、カバー１２の背壁１５から起立したリブ８１，８２を部分的に形成した場合を示したが、これに限らず表示装置８の側面を囲むように形成しても良く、これに合わせて延出部２６Ｃを側面全体に亘って設けても良いものとする。このような構成にすることで、よりストレスを効率よく分散させることができる。
【００４６】
続いて、図１２を参照して、本実施例のポータブルコンピュータの第４の実施形態について説明する。第４の実施形態の電子機器の一例であるポータブルコンピュータ１は、充填材２６の形状が異なる点で第２の実施形態のものと異なっているが、他の部分は第１の実施形態と概ね共通している。このため、主として異なる部分について説明し、共通する部分については共通の符号を付して説明を省略する。
【００４７】
第４の実施形態のポータブルコンピュータ１は、図１に示すものとほぼ同様の外観を有している。表示ユニット３は、図１に示す第１の位置Ｐ１と、図７に示すような第２の位置Ｐ２との間で回転することができる。
【００４８】
図１２に示すように、第３の実施形態の表示ユニット３では、カバー１２の背壁１５と表示装置８との間に、充填材２６から延出して形成された延出部２６Ｄが設けられる。即ち、本実施形態において、表示装置８とマスク１３との間に充填された充填材２６は、表示装置８の背面に亘って設けられるとともに、表示装置８がカバー１２と干渉しないように当該表示装置８を保持することができる。また、本実施例の構成によれば、カバー１２に生じる衝撃を充填材２６の延出部２６Ｄによって吸収することができるとともに、表示ユニット３を第１の位置Ｐ１から第２の位置Ｐ２にする際に、表示ユニット３に生じる衝撃を充填材２６によって吸収することができる。このとき、カバー１２側から衝撃を受けて生じた応力や、本体２に衝突して突出部２６ｂにおいて生じた応力は、連通部３２を経由して本体部２６ａ及び延出部２６Ｄに分散されるため、突出部２６ｂの近傍にある表示装置８において応力が集中してしまうことがない。これによって、表示装置８にひび割れ等が生じてしまうことを防止することができる。このように第３の実施例の構成では、第１の実施例及び第２の実施例の効果に加えて、表示装置８を両面で保持できる効果、及びカバー１２側からのストレスを緩和する効果を得ることができる。
【００４９】
本発明は、上記実施形態そのままに限定されるものではなく、実施段階ではその要旨を逸脱しない範囲で構成要素を変形して具体化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に構成要素を適宜組み合わせてもよい。
【００５０】
また、電子機器は、上記実施形態に示したポータブルコンピュータ１用に限らず、例えば携帯電話機のようなその他の電子機器に対しても実施可能である。
【符号の説明】
【００５１】
１…ポータブルコンピュータ
２…本体ユニット
３…表示ユニット
４…本体筐体
７…ディスプレイ装置ハウジング
８…表示装置
８ａ，８ｂ，８ｃ，８ｄ…側面部
９…表示画面
９ａ…表示画面周縁部
１２…カバー
１３…マスク
１５…背壁
１６ａ，１６ｂ，１６ｃ，１６ｄ…周壁
２１ａ．２１ｂ…ヒンジ機構
２３…ヒンジ軸
２６…充填材
２６ａ…本体部
２６Ｂ…突出部
３２…連通部
３２Ａ…貫通孔
３３…第１の面
３４…第２の面
Ｐ１…第１の位置
Ｐ２…第２の位置。
【図１】
2010224546.tif 000003
【図２】
2010224546.tif 000004
【図３】
2010224546.tif 000005
【図４】
2010224546.tif 000006
【図５】
2010224546.tif 000007
【図６】
2010224546.tif 000008
【図７】
2010224546.tif 000009
【図８】
2010224546.tif 000010
【図９】
2010224546.tif 000011
【図１０】
2010224546.tif 000012
【図１１】
2010224546.tif 000013
【図１２】
2010224546.tif 000014